(57)【要約】【課題】自主放送用のＴＳ信号を生成するのに用いる識別情報を、他のデジタルテレビ放送の識別情報と重複することのないように設定可能な多重化装置を提供する。【課題を解決するための手段】多重化装置２０には、符号化部２８にて符号化された映像・音声データ等に番組特定情報／番組配列情報（ＰＳＩ／ＳＩ）を多重化する多重化部２６に加えて、他のテレビ放送信号を受信する受信部２２と、制御部２４とが備えられる。制御部２４は、受信部２２にて受信される他のテレビ放送信号のＰＳＩ／ＳＩから、他のテレビ放送信号の識別情報（ネットワークＩＤ等）を抽出し、外部の情報処理装置２９を介して使用者が設定した自主放送用の識別情報が、他のテレビ放送信号の識別情報と重複していないか判断し、重複している場合に、警報を発生する。【選択図】図１
2015195525.tif 000002
【特許請求の範囲】
【請求項１】
映像信号及び音声信号を符号化した映像・音声データと、前記映像・音声データ固有の識別情報を含む番組特定情報／番組配列情報とを多重化し、デジタルテレビ放送の自主放送用のＴＳ信号として出力する多重化装置であって、
前記ＴＳ信号による自主放送対象範囲内にて受信可能な他のデジタルテレビ放送信号の番組特定情報／番組配列情報を取得する番組特定情報／番組配列情報取得手段と、
前記番組特定情報／番組配列情報取得手段にて取得された他のデジタルテレビ放送信号の番組特定情報／番組配列情報から識別情報を抽出し、前記自主放送用のＴＳ信号を生成するのに用いる前記番組特定情報／番組配列情報内の識別情報が、前記抽出した他のテレビ放送信号の識別情報と重複することのないよう制御する制御手段と、
を備えたことを特徴とする多重化装置。
【請求項２】
前記制御手段は、
前記他のデジタルテレビ放送信号の番組特定情報／番組配列情報から抽出した識別情報と、前記自主放送用のＴＳ信号を生成するのに用いる前記番組特定情報／番組配列情報内の識別情報とを比較し、該識別情報が一致している場合に、警告を発生する、
ことを特徴とする請求項１に記載の多重化装置。
【請求項３】
前記制御手段は、
前記他のデジタルテレビ放送信号の番組特定情報／番組配列情報から抽出した識別情報と、予め設定された識別情報の設定条件とに基づき、前記抽出した識別情報と一致することのないよう、前記自主放送用のＴＳ信号を生成するのに用いる前記番組特定情報／番組配列情報内の識別情報を設定する、
ことを特徴とする請求項１に記載の多重化装置。
【請求項４】
前記番組特定情報／番組配列情報取得手段は、
前記自主放送の実施対象範囲内で配信されている他のデジタルテレビ放送信号を受信し、該受信した他のデジタルテレビ放送信号から前記番組特定情報／番組配列情報を抽出する受信部にて構成されていることを特徴とする請求項１〜請求項３の何れか１項に記載の多重化装置。
【請求項５】
前記受信部は、前記受信した他のデジタルテレビ放送信号の信号品質を検出可能に構成されており、
前記制御手段は、
前記受信部にて受信された他のデジタルテレビ放送の内、信号品質が最も良いデジタルテレビ放送を、時刻情報設定用のデジタルテレビ放送信号として選択し、該選択後は、該時刻情報設定用のデジタルテレビ放送信号の番組特定情報／番組配列情報に含まれる時刻情報を利用して、前記自主放送用のＴＳ信号を生成するのに用いる前記番組特定情報／番組配列情報内の時刻情報を設定することを特徴とする請求項４に記載の多重化装置。
【請求項６】
前記番組特定情報／番組配列情報取得手段は、
当該多重化装置の設置地点を表す位置情報に基づき、所定のデータベースを検索することで、当該多重化装置の設置地点で受信可能な他のデジタルテレビ放送信号の番組特定情報／番組配列情報を取得することを特徴とする請求項１〜請求項３の何れか１項に記載の多重化装置。
【請求項７】
請求項１〜請求項６の何れか１項に記載の多重化装置と、
前記多重化装置にて生成されたＴＳ信号を、所定放送チャンネルのデジタルテレビ放送信号に変換するＯＦＤＭ変調部と、
外部の伝送線を介してデジタルテレビ放送信号を取り込み、前記ＯＦＤＭ変調部から出力される自主放送用のデジタルテレビ放送信号と混合して、端末側に出力する混合部と、
を備えたことを特徴とするデジタル変調器。
【発明の詳細な説明】
【技術分野】
【０００１】
本発明は、映像信号及び音声信号を符号化した映像・音声データと、映像・音声データ固有の識別情報を含む番組特定情報／番組配列情報とを多重化することにより、デジタルテレビ放送を利用した自主放送用のＴＳ信号を生成する多重化装置、及び、この多重化装置を備えたデジタル変調器に関する。
【背景技術】
【０００２】
従来、例えば、地上デジタルテレビ放送を利用して自主放送を行う場合、自主放送用の映像・音声データと、番組特定情報／番組配列情報（以下、ＰＳＩ／ＳＩ（Program Specific Information／Service Information ）ともいう）とを多重化することにより、自主放送用のＴＳ（Transport Stream）信号を生成し、その生成したＴＳ信号を所定放送チャンネル（周波数帯）の放送信号にＯＦＤＭ変調することで、自主放送用の放送信号を生成する（例えば、特許文献１，２参照）。
【０００３】
また、ＰＳＩ／ＳＩには、例えば、ＮＩＴ（Network Information Table ）と呼ばれるネットワーク情報テーブルが含まれており、当該ＮＩＴには、地域識別、地域事業者識別、県複フラグに基づき生成されるネットワークＩＤ（network_id ）や、リモコンキー識別等、端末側で映像・音声データを受信・復元するのに要する識別情報が含まれる。
【０００４】
そして、これらの識別情報が他の地上デジタルテレビ放送の識別情報と重複すると、端末側の受信装置では、自主放送だけでなく、他の地上デジタルテレビ放送をも正常に受信することができなくなる。
【０００５】
そこで、地上デジタルテレビ放送を利用した自主放送に関しては、社団法人デジタル放送推進協会（Ｄｐａ）、社団法人日本ケーブルテレビ連盟（ＪＣＴＡ）、社団法人日本ＣＡＴＶ技術協会（ＪＣＴＥＡ）等からガイドラインが発行されており、自主放送を実施する際には、そのガイドラインに沿って、上記識別情報を他の地上デジタルテレビ放送の識別情報と重複することのないように設定する必要がある（例えば、特許文献３〜５参照）。
【先行技術文献】
【特許文献】
【０００６】
【特許文献１】特開２００６−１５７４９５号公報
【特許文献２】特開２０１１−１９９８５９号公報
【特許文献３】社団法人デジタル放送推進協会  ２０１０年６月４日発行  「館内自主テレビ放送における識別子等ガイドライン」
【特許文献４】社団法人日本ケーブルテレビ連盟  ２０１２年３月２３日発行  「地上デジタル放送ネットワークでのＣＡＴＶ自主放送運用ガイドライン」
【特許文献５】社団法人日本ＣＡＴＶ技術協会  ＴＲ−００８  「館内自主テレビ放送の設置・運用ガイドライン」
【発明の概要】
【発明が解決しようとする課題】
【０００７】
しかしながら、上記識別情報は、通常、ＴＳ信号を生成する多重化装置やデジタル変調器を設置する作業者が、上記ガイドラインに基づき手入力で設定するようにされているので、自主放送用のＴＳ信号の識別情報として、他の地上デジタルテレビ放送と同じ識別情報を設定してしまうことがある。
【０００８】
そして、このように誤設定された識別情報を用いて生成したテレビ放送信号が送信されると、そのテレビ放送信号を受信可能な範囲内にて、他の地上デジタルテレビ放送を含めて、地上デジタルテレビ放送を正常に受信することができなくなるという問題が生じる。
【０００９】
なお、この問題は、自主放送開始後、自主放送と同じ識別情報を有する地上デジタルテレビ放送が開局した場合にも、同様に発生する。また、地上デジタルテレビ放送以外のデジタルテレビ放送（例えば、ＢＳデジタルテレビ放送）を利用した自主放送を行う場合にも同様に発生する。
【００１０】
本発明は、こうした問題に鑑みなされたものであり、デジタルテレビ放送を利用した自主放送を行うに当たって、自主放送用のＴＳ信号を生成するのに用いる識別情報が、他のデジタルテレビ放送の識別情報と重複することのないように制御し得る多重化装置、及び、この多重化装置を備えたデジタル変調器を提供することを目的とする。
【課題を解決するための手段】
【００１１】
かかる目的を達成するためになされた請求項１に記載の発明は、
映像信号及び音声信号を符号化した映像・音声データと、前記映像・音声データ固有の識別情報を含む番組特定情報／番組配列情報とを多重化し、デジタルテレビ放送の自主放送用のＴＳ信号として出力する多重化装置であって、
前記ＴＳ信号による自主放送対象範囲内にて受信可能な他のデジタルテレビ放送信号の番組特定情報／番組配列情報を取得する番組特定情報／番組配列情報取得手段と、
前記番組特定情報／番組配列情報取得手段にて取得された他のデジタルテレビ放送信号の番組特定情報／番組配列情報から識別情報を抽出し、前記自主放送用のＴＳ信号を生成するのに用いる前記番組特定情報／番組配列情報内の識別情報が、前記抽出した他のテレビ放送信号の識別情報と重複することのないよう制御する制御手段と、
を備えたことを特徴とする。
【００１２】
また、請求項２に記載の発明は、請求項１に記載の多重化装置において、
前記制御手段は、前記他のデジタルテレビ放送信号の番組特定情報／番組配列情報から抽出した識別情報と、前記自主放送用のＴＳ信号を生成するのに用いる前記番組特定情報／番組配列情報内の識別情報とを比較し、該識別情報が一致している場合に、警告を発生することを特徴とする。
【００１３】
また、請求項３に記載の発明は、請求項１に記載の多重化装置において、
前記制御手段は、前記他のデジタルテレビ放送信号の番組特定情報／番組配列情報から抽出した識別情報と、予め設定された識別情報の設定条件とに基づき、前記抽出した識別情報と一致することのないよう、前記自主放送用のＴＳ信号を生成するのに用いる前記番組特定情報／番組配列情報内の識別情報を設定することを特徴とする。
【００１４】
また、請求項４に記載の発明は、請求項１〜請求項３の何れか１項に記載の多重化装置において、
前記番組特定情報／番組配列情報取得手段は、前記自主放送の実施対象範囲内で配信されている他のデジタルテレビ放送信号を受信し、該受信した他のデジタルテレビ放送信号から前記番組特定情報／番組配列情報を抽出する受信部にて構成されていることを特徴とする。
【００１５】
また、請求項５に記載の発明は、請求項４に記載の多重化装置において、
前記受信部は、前記受信した他のデジタルテレビ放送信号の信号品質を検出可能に構成されており、
前記制御手段は、前記受信部にて受信された他のデジタルテレビ放送の内、信号品質が最も良いデジタルテレビ放送を、時刻情報設定用のデジタルテレビ放送信号として選択し、該選択後は、該時刻情報設定用のデジタルテレビ放送信号の番組特定情報／番組配列情報に含まれる時刻情報を利用して、前記自主放送用のＴＳ信号を生成するのに用いる前記番組特定情報／番組配列情報内の時刻情報を設定することを特徴とする。
【００１６】
また、請求項６に記載の発明は、請求項１〜請求項３の何れか１項に記載の多重化装置において、
前記番組特定情報／番組配列情報取得手段は、当該多重化装置の設置地点を表す位置情報に基づき、所定のデータベースを検索することで、当該多重化装置の設置地点で受信可能な他のデジタルテレビ放送信号の番組特定情報／番組配列情報を取得することを特徴とする。
【００１７】
一方、請求項７に記載のデジタル変調器は、
請求項１〜請求項６の何れか１項に記載の多重化装置と、
前記多重化装置にて生成されたＴＳ信号を、所定放送チャンネルのデジタルテレビ放送信号に変換するＯＦＤＭ変調部と、
外部の伝送線を介してデジタルテレビ放送信号を取り込み、前記ＯＦＤＭ変調部から出力される自主放送用のデジタルテレビ放送信号と混合して、端末側に出力する混合部と、
を備えたことを特徴とする。
【発明の効果】
【００１８】
請求項１に記載の多重化装置においては、番組特定情報／番組配列情報取得手段が、自主放送対象範囲内にて受信可能な他のデジタルテレビ放送信号の番組特定情報／番組配列情報（ＰＳＩ／ＳＩ）を取得し、制御手段が、その取得された他のデジタルテレビ放送信号のＰＳＩ／ＳＩから識別情報を抽出し、自主放送用のＴＳ信号を生成するのに用いるＰＳＩ／ＳＩ内の識別情報が、抽出した他のテレビ放送信号の識別情報と重複することのないように制御する。
【００１９】
このため、本発明の多重化装置によれば、生成したＴＳ信号を構成するＰＳＩ／ＳＩ内の識別情報が、ＴＳ信号が配信される自主放送対象範囲内にて、他のデジタルテレビ放送信号の識別情報と重複するのを防止し、自主放送対象範囲内に設置された受信装置に対し、自主放送用のデジタルテレビ放送と、他のデジタルテレビ放送とを、正常に受信させることができる。
【００２０】
なお、本発明の多重化装置において、番組特定情報／番組配列情報取得手段、及び、制御手段は、基本的には、自主放送を開始する際に動作させるだけでよい。
しかし、自主放送開始後に開局した放送局から、自主放送と同じ識別情報を有するテレビ放送信号が送信されることも考えられるので、番組特定情報／番組配列情報取得手段、及び、制御手段は、自主放送開始後、定期的に動作させるようにしてもよい。
【００２１】
次に、請求項２に記載の多重化装置においては、制御手段が、他のデジタルテレビ放送信号のＰＳＩ／ＳＩから抽出した識別情報と、自主放送用のＴＳ信号を生成するのに用いるＰＳＩ／ＳＩ内の識別情報とを比較し、識別情報が一致している場合に、警告を発生する。
【００２２】
したがって、請求項２に記載の多重化装置によれば、装置の設置者が上記ガイドラインに沿って手動で識別情報を設定した際、その識別情報が他のデジタルテレビ放送信号の識別情報と重複するか否かを判断して、重複する場合に警告を発することで、他のデジタルテレビ放送信号と同じ識別情報を用いてＴＳ信号が生成されるのを防止できる。
【００２３】
一方、請求項３に記載の多重化装置においては、制御手段が、他のデジタルテレビ放送信号のＰＳＩ／ＳＩから抽出した識別情報と、予め設定された識別情報の設定条件とに基づき、抽出した識別情報と一致することのないよう、自主放送用のＴＳ信号を生成するのに用いるＰＳＩ／ＳＩ内の識別情報を設定する。
【００２４】
したがって、請求項３に記載の多重化装置によれば、装置の設置者が上記ガイドラインに沿って手動で識別情報を設定することなく、他のデジタルテレビ放送信号の識別情報とは異なり、且つ、自主放送に適した識別情報を自動設定することができる。
【００２５】
また次に、請求項４に記載の多重化装置においては、番組特定情報／番組配列情報取得手段が、自主放送の実施対象範囲内で配信されている他のデジタルテレビ放送信号を受信し、その受信した他のデジタルテレビ放送信号からＰＳＩ／ＳＩを抽出する受信部にて構成されている。
【００２６】
このため、請求項４に記載の多重化装置によれば、自主放送用のＴＳ信号を生成するのに用いる識別情報を、装置の設置者が手動で設定する必要がなく、他のデジタルテレビ放送と重複することのないように、識別情報を自動で設定することが可能となる。
【００２７】
次に、請求項５に記載の多重化装置においては、番組特定情報／番組配列情報取得手段を構成する受信部が、受信した他のデジタルテレビ放送信号の信号品質を検出可能に構成されている。
【００２８】
そして、制御手段は、受信部にて受信された他のデジタルテレビ放送の内、信号品質が最も良いデジタルテレビ放送を、時刻情報設定用のデジタルテレビ放送信号として選択し、選択後は、その時刻情報設定用のデジタルテレビ放送信号のＰＳＩ／ＳＩに含まれる時刻情報を利用して、自主放送用のＴＳ信号を生成するのに用いるＰＳＩ／ＳＩ内の時刻情報を設定する。
【００２９】
従って、ＴＳ信号のＰＳＩ／ＳＩに付与される時刻情報（ＴＯＴ：Time Offset Table ）を、受信部にて受信されたデジタルテレビ放送信号の内、最も信号品質のよい放送信号に含まれる時刻情報（換言すれば、信頼性の高い時刻情報）を用いて設定することができ、時刻情報が適正値から外れることによって端末側で生じる問題（受信不良等）を防止することができる。
【００３０】
また、請求項６に記載の多重化装置においては、番組特定情報／番組配列情報取得手段が、当該多重化装置の設置地点を表す位置情報に基づき、所定のデータベースを検索することで、当該多重化装置の設置地点で受信可能な他のデジタルテレビ放送信号のＰＳＩ／ＳＩを取得する。
【００３１】
従って、請求項６に記載の多重化装置によれば、請求項４，５に記載の多重化装置のように、自主放送対象範囲内にて受信可能な他のデジタルテレビ放送信号を実際に受信することなく、他のデジタルテレビ放送のＰＳＩ／ＳＩを取得することができる。
【００３２】
なお、この場合、他のデジタルテレビ放送のＰＳＩ／ＳＩを取得するためには、多重化装置の設置地点を表す位置情報と、その位置情報に基づき設置地点で受信可能な他のデジタルテレビ放送のＰＳＩ／ＳＩを取得するためのデータベースが必要となる。
【００３３】
そして、位置情報については、装置の設置者が入力するか、或いは、ＧＰＳ受信機等を使って位置情報を取得するようにすればよい。また、データベースについては、多重化装
置内の記憶媒体に予め記憶させておいてもよく、センタ装置側のサーバ若しくはインターネット上のサーバに記憶させておき、制御手段が所定の通信回線を介してそのサーバにアクセスするようにしてもよい。
【００３４】
次に、請求項７に記載のデジタル変調器は、上述した本発明の多重化装置を備える。そして、多重化装置にて生成されたＴＳ信号は、ＯＦＤＭ変調部に入力され、ＯＦＤＭ変調部は、そのＴＳ信号を、所定放送チャンネルのデジタルテレビ放送信号に変換する。
【００３５】
また、ＯＦＤＭ変調部にて生成されたデジタルテレビ放送信号は、混合部にて、外部の伝送線を介して取り込まれた他のデジタルテレビ放送信号と混合され、端末側に出力される。
【００３６】
従って、請求項７に記載のデジタル変調器によれば、本発明の多重化装置を使って生成した自主放送用のＴＳ信号を、所定放送チャンネルのデジタルテレビ放送信号に変換することができるだけでなく、その自主放送用のデジタルテレビ放送信号を、他のデジタルテレビ放送信号と混合して、端末側に出力することができる。
【００３７】
よって、請求項７に記載のデジタル変調器によれば、デジタルテレビ放送信号が伝送されるＣＡＴＶシステム等の伝送線上に設けて、自主放送用のデジタルテレビ放送信号と他のデジタルテレビ放送信号とを端末側に伝送するのに好適なデジタル変調器を提供することができる。
【図面の簡単な説明】
【００３８】
【図１】実施形態のエンコーダの構成を表すブロック図である。
【図２】実施形態の制御部にて識別情報の重複を判定する際に実行されるＰＳＩ／ＳＩ確認処理を表すフローチャートである。
【図３】実施形態の制御部にて識別情報を自動設定する際に実行されるＰＳＩ／ＳＩ設定処理を表すフローチャートである。
【図４】図１に示したエンコーダを備えたデジタル変調器の構成を表すブロック図である。
【図５】位置情報検出装置を備えたエンコーダの構成を表すブロック図である。
【図６】図５のエンコーダにおいて実行されるＰＳＩ／ＳＩ設定処理を表すフローチャートである。
【発明を実施するための形態】
【００３９】
以下に本発明の実施形態について説明する。
図１に示すように、本実施形態のエンコーダ１０は、多重化装置２０と符号化部２８とを備える。
【００４０】
ここで、符号化部２８は、例えばビデオカメラ等の放送機器からＡＶ信号端子１４に入力される自主放送用の映像信号及び音声信号（ＡＶ信号）を符号化して、映像・音声データ（ＭＰＥＧ−２  ＴＳ）を生成するためのものである。
【００４１】
また、多重化装置２０は、符号化部２８にて符号化された映像・音声データや多重化用データ入力端子１６に入力された多重化用データ（例えば、外部装置で符号化された映像・音声データ等）を、ＰＳＩ／ＳＩと共に多重化することにより、地上デジタルテレビ放送用のＴＳ信号（放送ＴＳ）を生成し、出力端子１８から出力する。
【００４２】
多重化装置２０には、上記各データを多重化して地上デジタルテレビ放送用のＴＳ信号（放送ＴＳ）を生成する多重化部２６に加えて、受信部２２及び制御部２４が備えられて
いる。
【００４３】
受信部２２は、多重化部２６にて生成されるＴＳ信号にて自主放送を行う自主放送対象範囲内で受信された地上デジタルテレビ放送（以下、単にテレビ放送という）の受信信号を受信信号入力端子１２から取り込み、その受信信号の中からチャンネル毎に地上デジタルテレビ放送信号（以下、単にテレビ放送信号という）を選局して、その選局したテレビ放送信号に含まれるＰＳＩ／ＳＩを抽出する。
【００４４】
このため、受信部２２には、制御部２４からの指令に従いテレビ放送信号を選局する選局部２２ａ、選局部２２ａにて選局されたテレビ放送信号をＯＦＤＭ復調するＯＦＤＭ復調部２２ｂ、及び、ＯＦＤＭ復調部２２ｂにて復調されたデータの中からＰＳＩ／ＳＩを抽出する多重分離部２２ｃが設けられている。
【００４５】
また、受信部２２には、選局部２２ａにて選局された放送信号の信号品質を監視する信号品質監視部２２ｄも設けられている。
そして、多重分離部２２ｃにて抽出されたＰＳＩ／ＳＩ、及び、信号品質監視部２２ｄにて監視される信号品質（本実施形態では、Ｃ／Ｎ（キャリア対ノイズ比）及びＢＥＲ（ビットエラーレート））は、制御部２４に入力される。
【００４６】
なお、受信信号入力端子１２は、自主放送対象範囲内（詳しくはエンコーダ１０の設置場所付近）に設けられた受信アンテナからの受信信号の伝送線、若しくは、自主放送対象範囲内でテレビ放送信号を配信するＣＡＴＶシステムの伝送線に接続され、これら伝送線を介して受信信号が入力される。
【００４７】
次に、制御部２４は、符号化部２８及び多重化部２６の信号処理動作を制御するためのものであり、ＣＰＵ、ＲＯＭ、ＲＡＭ等を中心とするマイクロコンピュータにて構成されている。
【００４８】
つまり、制御部２４は、ＣＰＵがＲＯＭ内に記憶された制御プログラムを実行することにより、符号化、多重化のためのパラメータの設定、映像・音声データに多重化させるＰＳＩ／ＳＩの設定、等を行う。
【００４９】
制御部２４において、ＰＳＩ／ＳＩの初期設定は、外部の情報処理装置（パーソナルコンピュータ（ＰＣ）等）２９を介して、エンコーダ１０の設置者が手動で行うようになっている。
【００５０】
そして、制御部２４は、その設定されたＰＳＩ／ＳＩの内、他のテレビ放送信号と重複してはいけない識別情報（本実施形態では、ネットワークＩＤ）については、受信部２２にて受信された他のテレビ放送信号のＰＳＩ／ＳＩに含まれる識別情報と比較し、これら識別情報が重複している場合には、外部の情報処理装置２９に対し、その識別情報を再設定するよう警告用のメッセージを表示させる。
【００５１】
また、ＰＳＩ／ＳＩには、時刻情報（ＴＯＴ）を含める必要があるが、この時刻情報を正確に設定するため、制御部２４は、受信部２２にて受信された他のテレビ放送信号のうち、最も信号品質のよいテレビ放送信号のＰＳＩ／ＳＩから時刻情報（ＴＯＴ）を取得し、その取得した時刻情報（ＴＯＴ）に基づき、自主放送を行うテレビ放送信号の時刻情報（ＴＯＴ）を設定する。
【００５２】
以下、このように識別情報の重複を確認して、時刻情報を設定するために制御部２４にて実行されるＰＳＩ／ＳＩ確認処理を、図２に示すフローチャートに沿って説明する。
なお、この処理は、制御部２４において、外部の情報処理装置２９を介して、ＰＳＩ／ＳＩが初期設定された後に実行される処理である。
【００５３】
図２に示すように、ＰＳＩ／ＳＩ確認処理では、まずＳ１１０（Ｓはステップを表す）にて、受信部２２に対し、最も周波数の低いテレビ放送信号を選局する選局指令を送信することで、テレビ放送信号の選局スキャンを開始する。
【００５４】
次に、Ｓ１２０では、受信部２２にて所定レベル以上のテレビ放送信号が選局されたか否かを判断し、所定レベル以上のテレビ信号が選局されていれば、受信部２２に選局させたテレビ放送信号は実際に存在すると判断して、Ｓ１３０に移行する。
【００５５】
Ｓ１３０では、受信部２２から、現在選局中のテレビ放送信号の周波数（選局周波数）を読み込み、その読み込んだ選局周波数を放送波リストに登録する。
なお、放送波リストは、制御部２４を構成するＲＡＭ若しくは外部メモリに記憶されるものであり、後述の処理により、テレビ放送信号の選局周波数に加え、テレビ放送信号のネットワークＩＤ（network_id）及び信号品質が追加登録される。
【００５６】
次に、Ｓ１４０では、受信部２２にて現在選局されているテレビ放送信号のＣ／Ｎを、信号品質監視部２２ｄから取り込み、テレビ放送信号のＣ／Ｎが所定の閾値以上であるか否かを判断する。
【００５７】
Ｓ１４０にて、テレビ放送信号のＣ／Ｎが閾値以上であると判断されると、Ｓ１５０に移行して、信号品質監視部２２ｄから、選局中のテレビ放送信号の信号品質として、Ｃ／ＮとＢＥＲとを取得する。
【００５８】
また次に、Ｓ１６０では、多重分離部２２ｃから入力されるテレビ放送信号のＰＳＩ／ＳＩの中からネットワーク情報テーブル（ＮＩＴ：Network Information Table）を取得し、続くＳ１７０にて、そのネットワーク情報テーブル（ＮＩＴ）から、テレビ放送の識別情報であるネットワークＩＤ（network_id）を取得する。
【００５９】
そして、Ｓ１８０では、Ｓ１３０にて選局周波数を登録したテレビ放送信号の放送波リストに、Ｓ１５０及びＳ１７０で取得したＣ／Ｎ、ＢＥＲ、及びネットワークＩＤ（network_id）を追加し、Ｓ１９０に移行する。
【００６０】
Ｓ１９０では、受信部２２が選局中のテレビ放送信号の周波数は、選局スキャンの最終周波数（つまり、テレビ放送の周波数の中で最も高い周波数）であるか否かを判断する。なお、Ｓ１９０の処理は、Ｓ１４０にてテレビ放送信号のＣ／Ｎが閾値以上ではないと判断された場合、或いは、Ｓ１２０にてテレビ放送信号は選局されていないと判断された場合にも実行される。
【００６１】
そして、Ｓ１９０にて、受信部２２が選局中のテレビ放送信号の周波数は最終周波数ではないと判断された場合には、受信部２２に選局させていないテレビ放送が存在するので、Ｓ２００に移行して、受信部２２によるテレビ放送信号の選局周波数を１チャンネル分上昇させ、Ｓ１２０に移行する。
【００６２】
また、Ｓ１９０にて、受信部２２が選局中のテレビ放送信号の周波数は最終周波数であると判断された場合には、受信部２２に対し、テレビ放送の全周波数帯でテレビ放送信号を選局させて、上記Ｓ１２０以降の処理を実行した状態であるので、Ｓ２１０に移行し、ＲＡＭ若しくは外部メモリに記憶された全テレビ放送信号の放送波リスト内のネットワークＩＤ（network_id）と、外部の情報処理装置２９を介して設定された自主放送用のＰＳ
Ｉ／ＳＩ内のネットワークＩＤ（network_id）とを比較する。
【００６３】
そして、続くＳ２２０では、Ｓ２１０での比較結果に基づき、自主放送用のネットワークＩＤ（network_id）が、放送波リスト内のネットワークＩＤ（network_id）と重複しているか否かを判断する。
【００６４】
Ｓ２２０にて、自主放送用のネットワークＩＤ（network_id）が放送波リスト内のネットワークＩＤ（network_id）と重複していると判断された場合、現在設定されているネットワークＩＤ（network_id）を使って自主放送を行うと、端末側の受信装置では、自主放送だけでなく、他のテレビ放送についても正常に受信することができなくなるので、Ｓ２５０に移行する。
【００６５】
そして、Ｓ２５０では、自主放送用のネットワークＩＤ（network_id）を初期設定（若しくは修正）するのに用いられた外部の情報処理装置２９に対し、ＰＳＩ／ＳＩの設定変更を要求するメッセージを表示させるための再設定要求信号を出力し、当該ＰＳＩ／ＳＩ確認処理を終了する。
【００６６】
なお、Ｓ２５０での再設定要求信号の出力により、外部の情報処理装置２９側では、使用者にＰＳＩ／ＳＩ（詳しくはネットワークＩＤ（network_id））を再設定させるためのメッセージが表示されると共に、警告音が発生される。
【００６７】
この結果、使用者は、自主放送用のＰＳＩ／ＳＩ（詳しくはネットワークＩＤ（network_id））を再設定することになり、最終的には、自主放送対象範囲内で受信可能なテレビ放送信号とは異なるネットワークＩＤ（network_id）を、自主放送用のテレビ放送信号のネットワークＩＤ（network_id）として設定できるようになる。
【００６８】
一方、Ｓ２２０にて、自主放送用のネットワークＩＤ（network_id）は放送波リスト内のネットワークＩＤ（network_id）と重複していないと判断された場合には、ネットワークＩＤ（network_id）を再設定する必要がないので、Ｓ２３０に移行し、ＲＡＭ若しくは外部メモリに記憶された放送波リスト内の信号品質を表す情報（つまりＣ／Ｎ及びＢＥＲ）に基づき、自主放送対象範囲内で受信可能なテレビ放送信号の中で最も信号品質のよいテレビ放送信号（放送波）を選択する。
【００６９】
そして、続くＳ２４０では、Ｓ２３０にて選択されたテレビ放送信号（放送波）に含まれる時刻情報（ＴＯＴ）を、自主放送用のテレビ放送信号に付与する送信用時刻情報として設定し、当該ＰＳＩ／ＳＩ確認処理を終了する。
【００７０】
以上説明したように、本実施形態のエンコーダ１０においては、多重化装置２０内に、テレビ放送信号を受信するための受信部２２が備えられており、制御部２４が、この受信部２２を駆動して自主放送対象範囲内で受信可能な全テレビ放送を選局させ、選局できたテレビ放送信号（放送波）の選局周波数、信号品質（Ｃ／Ｎ、ＢＥＲ）、及びネットワークＩＤ（network_id）からなる放送波リストを作成し、ＲＡＭ若しくは外部メモリに記憶する。
【００７１】
そして、外部の情報処理装置２９を介して、使用者が自主放送を行うテレビ放送信号のＰＳＩ／ＳＩを設定すると、そのＰＳＩ／ＳＩ内のネットワークＩＤ（network_id）が、放送波リスト内のネットワークＩＤ（network_id）と重複するか否かを判断して、ネットワークＩＤ（network_id）が重複する場合には、情報処理装置２９に、ＰＳＩ／ＳＩの設定変更要求信号を出力することで、ＰＳＩ／ＳＩを設定した使用者に対し、ネットワークＩＤ（network_id）を再設定させる。
【００７２】
従って、本実施形態のエンコーダ１０によれば、多重化装置２０にて自主放送用のＴＳ信号（放送ＴＳ）を生成するのに使用されるＰＳＩ／ＳＩ内のネットワークＩＤ（network_id）が、自主放送対象範囲内で受信可能なテレビ放送信号のネットワークＩＤ（network_id）と重複するのを防止し、自主放送対象範囲内のテレビ放送の受信装置に対し、自主放送用のテレビ放送と他のテレビ放送とを正常に受信させることができる。
【００７３】
また、ＰＳＩ／ＳＩには、時刻情報（ＴＯＴ）を付与する必要があるが、本実施形態では、正確な時刻情報（ＴＯＴ）を付与できるようにするため、受信部２２で受信されたテレビ放送信号の内、最も信号品質（Ｃ／Ｎ、ＢＥＲ）がよいテレビ放送信号を選択して、そのテレビ放送信号に含まれる時刻情報（ＴＯＴ）を利用するようにされている。
【００７４】
このため、本実施形態のエンコーダ１０によれば、正確な時刻情報（ＴＯＴ）を付与したＴＳ信号（放送ＴＳ）を生成することができる。
なお、本実施形態において、受信部２２は、本発明の番組特定情報／番組配列情報取得手段に相当し、制御部２４は、本発明の制御手段に相当する。
【００７５】
以上、本発明の一実施形態について説明したが、本発明は、上記実施形態に限定されるものではなく、本発明の要旨を逸脱しない範囲内にて種々の態様をとることができる。
[変形例１]
例えば、上記実施形態では、図２に示したＰＳＩ／ＳＩ確認処理のＳ２５０において、外部の情報処理装置２９に対し、ＰＳＩ／ＳＩの再設定要求信号を出力するものとして説明したが、Ｓ２５０にて、外部の情報処理装置２９に再設定要求信号を出力する際には、再設定要求信号に放送波リストを付加するようにしてもよい。
【００７６】
そして、このようにすれば、情報処理装置２９側で、自主放送対象範囲内で受信可能なテレビ放送信号のネットワークＩＤ（network_id）を表示することができるようになり、使用者は、その表示されたネットワークＩＤ（network_id）を確認することで、これと重複しないネットワークＩＤ（network_id）を自主放送用として簡単に再設定することができるようになる。
［変形例２］
また、上記実施形態では、自主放送用のＰＳＩ／ＳＩは、外部の情報処理端末２９を介して設定するものとして説明したが、多重化装置２０が内蔵されるエンコーダ１０や後述のデジタル変調器４０に表示部及び操作入力部を設けることで、外部の情報処理端末２９を使用することなく、自主放送用のＰＳＩ／ＳＩを設定できるようにしてもよい。
［変形例３］
また、上記実施形態では、制御部２４において、図２に示したＰＳＩ／ＳＩ確認処理を実行することで、外部の情報処理装置２９を介して使用者が設定したＰＳＩ／ＳＩ内のネットワークＩＤ（network_id）が他のテレビ放送信号のネットワークＩＤ（network_id）と重複する場合に、使用者に対し、ネットワークＩＤ（network_id）を再設定させるものとして説明した。
【００７７】
しかし、ＰＳＩ／ＳＩ内のネットワークＩＤ（network_id）等の識別情報は、受信部２２にて受信した他のテレビ放送信号の識別情報に基づき、自動で設定するようにしてもよい。
【００７８】
そして、このためには、制御部２４において、図３に示したＰＳＩ／ＳＩ設定処理を実行するようにすればよい。
すなわち、図３に示すＰＳＩ／ＳＩ設定処理では、図２に示したＰＳＩ／ＳＩ確認処理と同様、Ｓ１１０〜Ｓ２００の一連の処理にて、受信部２２に対し、自主放送対象範囲内
で受信可能なテレビ放送信号を順次選局・受信させて、放送波リストを生成・記憶する。
【００７９】
そして、受信可能な全テレビ放送信号の放送波リストが生成されると、Ｓ３１０にて、予め設定されたＰＳＩ／ＳＩの設定条件を読み込む。
また、続くＳ３２０では、その読み込んだ設定条件とＳ１１０〜Ｓ２００の処理にて作成した放送波リストとに基づき、自主放送対象範囲内で受信可能な既存のテレビ放送信号とは異なる識別情報（ネットワークＩＤ等）を有するＰＳＩ／ＳＩを設定する。
【００８０】
そして、その後は、図２に示したＰＳＩ／ＳＩ確認処理と同様、Ｓ２３０、Ｓ２４０の処理を実行し、当該ＰＳＩ／ＳＩ設定処理を終了する。
なお、Ｓ３１０にて読み込むＰＳＩ／ＳＩの設定条件は、上述したガイドラインに沿ってＰＳＩ／ＳＩを設定するためのものであり、制御部２４内のＲＯＭ若しくは外部の不揮発性メモリに格納される。
［変形例４］
上記実施形態の多重化装置２０は、図１に示したように、符号化部２８と共にエンコーダ１０として構成してもよく、符号化部２８とは別に単体で構成してもよい。
【００８１】
また、例えば、図４に示すように、符号化部２８、ＯＦＤＭ変調部３０、分岐部３２、及び、混合部３４と共に、自主放送用のデジタル変調器４０として構成してもよい。
なお、図４において、ＯＦＤＭ変調部３０は、多重化装置２０にて生成されたＴＳ信号（放送ＴＳ）を、多重化装置２０の制御部２４から指定された放送チャンネル（つまり放送周波数帯）のテレビ放送信号にＯＦＤＭ変調するためのものである。
【００８２】
また、分岐部３２は、受信信号入力端子１２に入力された受信信号の一部を受信部２２に分岐させ、残りの受信信号を混合部３４側に出力する分岐回路であり、混合部３４は、分岐部３２からの受信信号（つまり、他のテレビ放送信号）とＯＦＤＭ変調部３０にて生成される自主放送用のテレビ放送信号とを混合する混合回路である。
【００８３】
そして、混合部３４にて混合された全テレビ放送信号は、出力端子１８を介して外部に出力される。
従って、図４に示すデジタル変調器４０によれば、多重化装置２０を使って生成した自主放送用のＴＳ信号（放送ＴＳ）を、所定放送チャンネルのテレビ放送信号に変換することができるだけでなく、その自主放送用のテレビ放送信号を、他のテレビ放送信号と混合して、端末側に出力することができる。
【００８４】
このため、このデジタル変調器４０は、地上デジタルテレビ放送信号が伝送されるＣＡＴＶシステム等の伝送線上に設けることで、自主放送用のテレビ放送信号と他のテレビ放送信号とを端末側に伝送することが可能となる。
【００８５】
なお、ＯＦＤＭ変調部３０にて生成される自主放送用のテレビ放送信号の放送周波数は、制御部２４にて設定されるが、制御部２４は、ＰＳＩ／ＳＩの識別情報（ネットワークＩＤ等）と同様、その放送周波数が、他のテレビ放送信号と異なるように設定する。
［変形例５］
一方、上記実施形態では、多重化装置２０に設けられた受信部２２を利用して、自主放送対象範囲内で受信可能なテレビ放送信号の放送波リストを作成するものとして説明したが、各地域で受信可能なテレビ放送信号の周波数、信号品質（Ｃ／Ｎ、ＢＥＲ等）、識別情報（ネットワークＩＤ等）からなる放送波リストを、地域毎に予め作成しておき、その放送波リストの中から、多重化装置２０の設置地点に対応する地域の放送波リストを選択して、自主放送を行うテレビ放送信号の識別情報（ネットワークＩＤ等）を設定するようにしてもよい。
【００８６】
そして、このためには、図５に例示するように、多重化装置２０にＧＰＳ受信装置５０を設けるか外付けすることで、多重化装置２０の設置地点を検出できるようにし、制御部２４は、図６に例示するＰＳＩ／ＳＩ設定処理を実行するようにすればよい。
【００８７】
なお、ＧＰＳ受信装置５０によれば、位置情報だけでなく、時刻情報（ＴＯＴ）も取得することができるので、図６に例示するＰＳＩ／ＳＩ設定処理では、ＰＳＩ／ＳＩの設定に、ＧＰＳ受信装置５０を介して取得した時刻情報（ＴＯＴ）を利用する。
【００８８】
すなわち、このＰＳＩ／ＳＩ設定処理では、Ｓ４１０にて、ＧＰＳ受信装置５０から位置情報を取得し、Ｓ４２０にて、取得した位置情報に基づき外部の放送波データベース（放送波ＤＢ）５２を検索することで、多重化装置２０の設置地点に対応する地域の放送波リストを取得する。なお、放送波ＤＢ５２は、放送波リストが地域毎に登録されたデータベースであり、例えば、インターネット上の情報提供サーバに構築されているものとする。
【００８９】
このように、Ｓ４２０にて放送波リストを取得すると、図３のＳ３１０、Ｓ３２０と同様、Ｓ４３０にて、予め設定されたＰＳＩ／ＳＩの設定条件を読み込み、Ｓ４４０にて、その読み込んだ設定条件とＳ４２０で取得した放送波リストとに基づき、自主放送対象範囲内で受信可能な既存のテレビ放送信号とは異なる識別情報（ネットワークＩＤ等）を有するＰＳＩ／ＳＩを設定する。
【００９０】
そして、その後は、Ｓ４５０にて、ＧＰＳ受信装置５０から時刻情報（ＴＯＴ）を取得し、その取得した時刻情報（ＴＯＴ）を、自主放送用のテレビ放送信号に付与する送信用時刻情報として設定し、当該ＰＳＩ／ＳＩ確認処理を終了する。
【００９１】
なお、図５に示す多重化装置２０においては、多重化装置２０の設置地点をＧＰＳ受信装置５０にて検出するようにしているが、放送波ＤＢ５２から放送波リストを抽出するのに用いる位置情報は、外部の情報処理装置２９を介して設置者が入力するようにしてもよく、或いは、外部サーバから取得するようにしてもよい。
【００９２】
また、放送波ＤＢ５２は、必ずしも外部サーバに設ける必要はなく、制御部２４内のＲＯＭや外部メモリに予め記憶しておくようにしてもよい。
［変形例６］
また次に、上記実施形態及び変形例では、他のテレビ放送信号との重複を判定する識別情報、若しくは、他のテレビ放送信号と重複することのないように自動設定する識別情報として、地域識別、地域事業者識別、県複フラグに基づき生成されるネットワークＩＤ（network_id ）を例にとり説明した。
【００９３】
しかし、ＰＳＩ／ＳＩに含まれる識別情報には、ネットワークＩＤ（network_id ）とは異なる識別情報（例えば、リモコンキー識別等）も存在するので、これらの識別情報についても、重複判定若しくは自動設定を行うようにしてもよい。
【００９４】
また、上記実施形態及び変形例では、地上デジタルテレビ放送を利用して自主放送を行う場合について説明したが、本発明は、例えば、ＢＳデジタルテレビ放送等、他のデジタルテレビ放送を利用して自主放送を行う場合にも、上記実施形態と同様に適用することができる。
【符号の説明】
【００９５】
１０…エンコーダ、１２…受信信号入力端子、１４…ＡＶ信号端子、１６…多重化用デ
ータ入力端子、１８…出力端子、２０…多重化装置、２２…受信部、２２ａ…選局部、２２ｂ…復調部、２２ｃ…多重分離部、２２ｄ…信号品質監視部、２４…制御部、２６…多重化部、２８…符号化部、２９…情報処理装置、２９…情報処理端末、３０…ＯＦＭＤ変調部、３２…分岐部、３４…混合部、４０…デジタル変調器、５０…ＧＰＳ受信装置、５２…放送波ＤＢ。
【図１】
2015195525.tif 000003
【図２】
2015195525.tif 000004
【図３】
2015195525.tif 000005
【図４】
2015195525.tif 000006
【図５】
2015195525.tif 000007
【図６】
2015195525.tif 000008